(57)【要約】【課題】課題は、ユーザによる機器のフィルタの管理作業の適切な実施が可能になる、表示方法、表示プログラム、及び表示システムを提供することである。【解決手段】表示方法は、フィルタを備える機器の状態の通知のための通知画面Ｇ２０を、画像表示装置１１１に表示する。通知画面Ｇ２０は、機器から送信される機器の状態を示す状態情報に基づいて求められたフィルタの最新の汚れ度合いを表示する汚れ度合い表示領域Ｒ２１１と、機器の使用を開始した時期を示す使用開始時期に基づく情報を表示する始期表示領域Ｒ２１２と、を含む。【選択図】図４
2019196865.tif 000002
【特許請求の範囲】
【請求項１】
フィルタを備える機器の状態の通知のための通知画面を、画像表示装置に表示し、
前記通知画面は、
前記機器から送信される前記機器の状態を示す状態情報に基づいて求められた前記フィルタの最新の汚れ度合いを表示する汚れ度合い表示領域と、
前記機器の使用を開始した時期を示す使用開始時期に基づく情報を表示する始期表示領域と、
を含む、
表示方法。
【請求項２】
前記汚れ度合い表示領域は、前記フィルタの管理作業の実行の目安となる汚れ度合いを表示する、
請求項１の表示方法。
【請求項３】
前記汚れ度合い表示領域は、前記フィルタの管理作業の実行の目安となる汚れ度合いに対する前記フィルタの最新の汚れ度合いの割合を表示する、
請求項１又は２の表示方法。
【請求項４】
前記割合は、数値とグラフとの少なくとも一方により表される、
請求項３の表示方法。
【請求項５】
前記通知画面は、前記最新の汚れ度合いが前記フィルタの管理作業の実行の目安となる汚れ度合いに達した場合に前記フィルタの管理作業の実行を促す表示を行う管理表示領域を含む、
請求項２〜４のいずれか一つの表示方法。
【請求項６】
前記使用開始時期は、前記機器の購入日、前記機器の設置日、前記機器の稼働開始日、前記フィルタの交換日、及び前記フィルタの洗浄日から選択される、
請求項１〜５のいずれか一つの表示方法。
【請求項７】
前記通知画面は、前記機器の名称を表示する名称表示領域を含む、
請求項１〜６のいずれか一つの表示方法。
【請求項８】
前記通知画面は、複数の個別領域を含み、
前記複数の個別領域の各々は、対応する機器に関する、名称表示領域と、始期表示領域と、汚れ度合い表示領域と、を含む、
請求項７の表示方法。
【請求項９】
前記通知画面は、前記汚れ度合いを初期化するためのボタンを表示する、
請求項１〜８のいずれか一つの表示方法。
【請求項１０】
前記最新の汚れ度合いは、前記状態情報の履歴と、前記使用開始時期から前記機器が前記状態情報の送信を開始した送信開始時期までの未送信期間とに基づいて求められる、
請求項１〜９のいずれか一つの表示方法。
【請求項１１】
前記最新の汚れ度合いは、第１の増分と第２の増分との合計であり、
前記第１の増分は、前記送信開始時期から前記状態情報の履歴に含まれる最新の状態情報に対応する時期までの前記フィルタの汚れ度合いの増分であり、
前記第２の増分は、前記未送信期間に基づいて求められる前記未送信期間の前記フィルタの汚れ度合いの増分である、
請求項１０の表示方法。
【請求項１２】
１以上のプロセッサにより実行されると、前記１以上のプロセッサに、請求項１〜１１のいずれか一つの表示方法を実行する指示を与える、
表示プログラム。
【請求項１３】
フィルタを備える機器から送信される前記機器の状態を示す状態情報の履歴、及び、前記機器の使用を開始した時期を示す使用開始時期を取得する取得部と、
前記機器が前記状態情報の送信を開始した送信開始時期から前記状態情報の履歴に含まれる最新の状態情報に対応する時期までの前記フィルタの汚れ度合いの第１の増分を求める算出部と、
前記使用開始時期から前記送信開始時期までの前記フィルタの汚れ度合いの第２の増分に基づいて前記第１の増分を補正して前記フィルタの最新の汚れ度合いを求める補正部と、
前記フィルタの最新の汚れ度合いを表示する汚れ度合い表示領域と前記使用開始時期に基づく情報を表示する始期表示領域とを含む通知画面を、画像表示装置に表示する表示部と、
を備える、
表示システム。
【発明の詳細な説明】
【技術分野】
【０００１】
本開示は、表示方法、表示プログラム、及び表示システムに関する。特に、本開示は、フィルタ（集塵フィルタ）を備える機器の状態の通知を表示するための表示方法、表示プログラム、及び表示システムに関する。
【背景技術】
【０００２】
特許文献１は、空気清浄機管理システムを開示する。この空気清浄機管理システムは、通信ネットワークに接続された空気清浄機と、通信ネットワークに接続され、その通信ネットワークを介して空気清浄機と通信可能な監視センタと、を有する。空気清浄機は、設置される集塵対象空間に存在する粉塵を集塵する集塵ユニットを備える。また、空気清浄機は、その集塵ユニットによる粉塵の集塵量に関するデータを検出する集塵量検出手段と、集塵量検出手段で検出される集塵量に関するデータを通信ネットワークを介して監視センタに送信する送信手段とを備える。監視センタは、空気清浄機においてその送信された集塵量に関するデータを受信する受信手段と、その受信された集塵量に関するデータを出力する出力手段とを備える。
【先行技術文献】
【特許文献】
【０００３】
【特許文献１】特開２００８−８２６６１号公報
【発明の概要】
【発明が解決しようとする課題】
【０００４】
特許文献１では、監視センタには、受信手段により受信された集塵量に関するデータに基づき、予め定められた集塵量に対応する洗浄方法を選定して出力する。しかしながら、特許文献１では、洗浄方法等のフィルタの管理作業に関する情報の具体的な通知の仕方については考慮されていない。
【０００５】
課題は、ユーザによる機器のフィルタの管理作業の適切な実施が可能になる、表示方法、表示プログラム、及び表示システムを提供することである。
【課題を解決するための手段】
【０００６】
本開示の一態様の表示方法は、フィルタを備える機器の状態の通知のための通知画面を、画像表示装置に表示する。前記通知画面は、前記機器から送信される前記機器の状態を示す状態情報に基づいて求められた前記フィルタの最新の汚れ度合いを表示する汚れ度合い表示領域と、前記機器の使用を開始した時期を示す使用開始時期に基づく情報を表示する始期表示領域とを含む。
【０００７】
本開示の一態様の表示プログラムは、１以上のプロセッサにより実行されると、前記１以上のプロセッサに、前記表示方法を実行する指示を与えるプログラムである。
【０００８】
本開示の一態様の表示システムは、取得部と、算出部と、補正部と、表示部と、を備える。前記取得部は、フィルタを備える機器から送信される前記機器の状態を示す状態情報の履歴、及び、前記機器の使用を開始した時期を示す使用開始時期を取得する。前記算出部は、前記機器が前記状態情報の送信を開始した送信開始時期から前記状態情報の履歴に含まれる最新の状態情報に対応する時期までの前記フィルタの汚れ度合いの第１の増分を求める。前記補正部は、前記使用開始時期から前記送信開始時期までの前記フィルタの汚れ度合いの第２の増分に基づいて前記第１の増分を補正して前記フィルタの最新の汚れ度合いを求める。前記表示部は、前記フィルタの最新の汚れ度合いを表示する汚れ度合い表示領域と前記使用開始時期に基づく情報を表示する始期表示領域とを含む通知画面を、画像表示装置に表示する。
【発明の効果】
【０００９】
本開示の態様によれば、ユーザによる機器のフィルタの管理作業の適切な実施が可能になる、という効果を奏する。
【図面の簡単な説明】
【００１０】
【図１】図１は、一実施形態の表示システムの概略図である。
【図２】図２は、上記表示システムの補正処理の説明図である。
【図３】図３は、上記表示システムの画面（登録画面）の一例を示す図である。
【図４】図４は、上記表示システムの画面（通知画面）の一例を示す図である。
【図５】図５は、上記実施形態の通知画面の通知領域の一例を示す図である。
【図６】図６は、上記実施形態の通知画面の通知領域の他例を示す図である。
【図７】図７は、上記実施形態の通知画面の通知領域の他例を示す図である。
【図８】図８は、上記表示システムの動作の一部のフローチャートである。
【図９】図９は、第１変形例の表示システムの通知画面の一例を示す図である。
【図１０】図１０は、第１変形例の通知画面の通知領域の一例を示す図である。
【図１１】図１１は、第１変形例の通知画面の通知領域の他例を示す図である。
【図１２】図１２は、第２変形例の表示システムの通知画面の一例を示す図である。
【図１３】図１３は、第２変形例の通知画面の他例を示す図である。
【図１４】図１４は、第２変形例の通知画面の他例を示す図である。
【図１５】図１５は、第３変形例の表示システムの通知画面の通知領域の一例を示す図である。
【図１６】図１６は、第３変形例の表示システムの通知画面の通知領域の他例を示す図である。
【図１７】図１７は、第４変形例の表示システムの通知画面の一例を示す図である。
【図１８】図１８は、別の補正処理の説明図である。
【図１９】図１９は、別の補正処理の説明図である。
【発明を実施するための形態】
【００１１】
１．実施形態
１．１  概要
図１は、一実施形態の表示方法を実行する表示システムを示す。表示システムは、端末装置１０と、機器２０と、管理装置３０と、を含む。端末装置１０は、画像表示装置１１１を有しており、機器２０は、フィルタ２１１を有している。本実施形態の表示方法は、図４に示すように、通知画面Ｇ２０を、画像表示装置１１１に表示する。通知画面Ｇ２０は、フィルタ２１１を備える機器２０の状態の通知のための画面である。通知画面Ｇ２０は、汚れ度合い表示領域Ｒ２１１と、始期表示領域Ｒ２１２と、を含む。汚れ度合い表示領域Ｒ２１１は、機器２０から送信される機器２０の状態を示す状態情報に基づいて求められたフィルタ２１１の最新の汚れ度合いを表示する。始期表示領域Ｒ２１２は、機器２０の使用を開始した時期を示す使用開始時期に基づく情報を表示する。
【００１２】
この表示方法によれば、フィルタ２１１の最新の汚れ度合いが、フィルタ２１１の最新の汚れ度合いを裏付ける使用開始時期に基づく情報とともに表示される。そのため、ユーザにフィルタ２１１の汚れ度合いのフィードバックを適切に行うことができる。これによって、機器２０のフィルタ２１１の管理作業を行うようにユーザを誘導できる。その結果、ユーザによる機器２０のフィルタ２１１の管理作業の適切な実施が可能になる。
【００１３】
１．２  構成
以下、本実施形態の表示方法並びに当該表示方法を実行する表示システムについて図１〜図８を参照して説明する。
【００１４】
表示システムは、図１に示すように、端末装置１０と、機器２０と、管理装置３０と、を含む。端末装置１０、機器２０、及び管理装置３０は、通信ネットワーク４０に接続可能である。
【００１５】
通信ネットワーク４０は、単一の通信プロトコルに準拠したネットワークだけではなく、異なる通信プロトコルに準拠した複数のネットワークで構成され得る。通信プロトコルは、周知の様々な有線及び無線通信規格（例えば、電灯線通信プロトコル、無線通信プロトコル、赤外線通信プロトコル、拡張ＨＢＳプロトコル、Lon Talk（登録商標）プロトコル）から選択され得る。また、無線通信プロトコルの例としては、特定小電力無線の規格及び無線ＬＡＮ（Local Area Network）の規格が挙げられる。特定小電力無線の規格としては、Ｗｉ−ＳＵＮ（登録商標）の規格及びＷｉ−ＳＵＮ  ＨＡＮ（登録商標）が挙げられる。無線ＬＡＮの規格としては、Ｗｉ−Ｆｉ（登録商標）が挙げられる。図１では簡略化されているが、通信ネットワーク４０は、リピータハブ、スイッチングハブ、ブリッジ、ゲートウェイ、ルータ等のデータ通信機器を含み得る。
【００１６】
機器２０は、空調関連機器であり、特に、フィルタを有する空調関連機器である。この種の空調関連機器の例としては、エアコン、換気扇、空気清浄機が挙げられる。本実施形態では、機器２０はエアコンである。なお、機器２０は、例えば、建物に設置される。建物は、例えば、戸建て住宅である。なお、建物は、戸建て住宅に限らず、集合住宅、店舗などの他の建物であってもよい。
【００１７】
機器２０は、図１に示すように、機能部２１と、測定部２２と、通信部２３と、処理部２４と、を備えている。
【００１８】
機能部２１は、機器２０において所定の機能を実現する機械構造を有する。機能部２１により実現される機能は、主に機器２０の種類によって異なる。本実施形態において、機能部２１は、フィルタ２１１を含む。フィルタ２１１は、例えば、交換可能な集塵フィルタである。また、本実施形態では、機器２０はエアコンであるから、機能部２１は、エアコンの機能を実現するための機械構造（例えば、凝縮器、蒸発器、圧縮機、温度センサ等）を有している。
【００１９】
測定部２２は、フィルタ２１１の汚れ度合いを求めるための物理量を測定するためのセンサを含む。測定部２２は、フィルタ２１１を通過する空気に含まれる集塵の量を測定するセンサを備える。
【００２０】
通信部２３は、通信インターフェースである。通信部２３は、通信ネットワーク４０に接続可能であり、通信ネットワーク４０を通じた通信を行う機能を有する。通信部２３は、所定の通信プロトコルに準拠している。所定の通信プロトコルは、エコーネット（Energy Conservation & Homecare Network：ECHONET）（登録商標）規格である。エコーネット規格は、複数の通信プロトコル（例えば、電灯線通信プロトコル、無線通信プロトコル、赤外線通信プロトコル、拡張ＨＢＳプロトコル、Lon Talk（登録商標）プロトコル）を利用可能な通信プロトコルである。なお、所定の通信プロトコルは、エコーネット規格に限定されず、上述したような周知の様々な有線及び無線通信規格から選択され得る。
【００２１】
処理部２４は、機器２０の動作を制御する制御回路である。処理部２４は、例えば、１以上のプロセッサ（マイクロプロセッサ）と１以上のメモリとにより実現され得る。つまり、１以上のプロセッサが１以上のメモリに記憶された１以上のプログラムを実行することで、処理部２４として機能する。
【００２２】
処理部２４は、通信部２３を通じて通信ネットワーク４０から受け取った情報（制御指令情報）に基づいて、機能部２１の制御内容を設定（決定）する。つまり、機能部２１は、制御指令情報に基づいて設定された制御内容に従った動作を行う。制御指令情報は、通信ネットワーク４０を通じて、管理装置３０から与えられる。制御内容は、機能部２１の動作を決定する情報である。制御内容の例としては、エアコンの運転状況（例えば、運転モード、設定温度、風量等）が挙げられる。また、処理部２４は、機器２０の状態を示す状態情報を通信部２３を通じて通信ネットワーク４０に出力する。状態情報は、測定部２２での測定結果（フィルタ２１１を通過する空気に含まれる集塵の量）、及びエアコンの運転状況を含む。
【００２３】
管理装置３０は、表示システムにおいて、情報（信号）の流れを管理する機能を有する。管理装置３０は、例えば、サーバ装置である。なお、管理装置３０は、サーバ装置に限らず、ゲートウェイ、住宅分電盤、ＨＥＭＳ（Home Energy Management System）のローカル装置等によっても実現され得る。
【００２４】
管理装置３０は、図１に示すように、通信部３１と、記憶部３２と、処理部３３と、を備えている。
【００２５】
通信部３１は、通信部２３と同様に、通信ネットワーク４０に接続可能であり、通信ネットワーク４０を通じた通信を行う機能を有する。通信部３１は、通信部２３と同じ通信プロトコルに準拠している。
【００２６】
記憶部３２は、機器登録情報を記憶している。機器登録情報は、表示システムでの管理対象として登録された機器２０に関する情報である。機器２０に関する情報は、例えば、機器２０の識別情報及び種別情報と、機器２０のユーザの識別情報を含む。種別情報は、機器２０の使用を開始した時期を示す使用開始時期を含む。使用開始時期は、一例としては、機器２０の購入日である。また、種別情報は、機器２０の設置場所、ユーザにより設定された名称、利用状況を含む。また、記憶部３２は、機器２０から送信される機器２０の状態を示す状態情報の履歴を記憶している。
【００２７】
処理部３３は、管理装置３０の動作を制御する制御回路である。処理部３３は、例えば、１以上のプロセッサ（マイクロプロセッサ）と１以上のメモリとにより実現され得る。つまり、１以上のプロセッサが１以上のメモリに記憶された１以上のプログラムを実行することで、処理部３３として機能する。プログラムは、ここでは処理部３３のメモリに予め記録されているが、インターネット等の電気通信回線を通じて、又はメモリカード等の非一時的な記録媒体に記録されて提供されてもよい。
【００２８】
処理部３３は、端末装置１０からの制御情報に応じて機器２０に制御指令情報を与える機能を有している。制御情報は、制御対象となる機器２０を特定するための情報（例えば、機器２０の識別情報及びユーザの識別情報）と、制御内容を特定するための情報とを含む。処理部３３は、制御情報と、記憶部３２の機器登録情報とを参照して、制御指令情報を生成し、対象となる機器２０に通信部３１を通じて送信する処理を実行する。これにより、端末装置１０からの制御情報が、管理装置３０によって制御指令情報に変換されて、機器２０へ送信される。このように、管理装置３０は、端末装置１０からの制御情報に基づいて機器２０に制御指令情報を送信する処理を行う。
【００２９】
処理部３３は、端末装置１０からの登録要求を受け取ると、受け取った登録要求に基づいて記憶部３２の機器登録情報を更新し、機器２０の登録を行う。
【００３０】
処理部３３は、機器２０のフィルタ２１１の汚れ度合いの判定のために、図１に示すように、取得部Ｆ１０と、算出部Ｆ１１と、補正部Ｆ１２と、判定部Ｆ１３と、を有している。図１において、取得部Ｆ１０と、算出部Ｆ１１と、補正部Ｆ１２と、判定部Ｆ１３とは実体のある構成を示しているわけではなく、処理部３３によって実現される機能を示している。
【００３１】
取得部Ｆ１０は、機器２０のフィルタ２１１の汚れ度合いの判定のためのデータを記憶部３２から所定のタイミングで取得する。このデータは、機器２０から送信される状態情報の履歴、及び、機器２０の使用を開始した時期を示す使用開始時期を含む。所定のタイミングは、機器２０から新たな状態情報を受け取った際、端末装置１０からフィルタ２１１の状態の通知要求を受け取った際、定期的なタイミングのいずれかであってもよい。
【００３２】
算出部Ｆ１１は、図２に示す、第１の増分Ｄ１１を求める。第１の増分Ｄ１１は、機器２０が状態情報の送信を開始した送信開始時期から状態情報の履歴に含まれる最新の状態情報に対応する時期までのフィルタ２１１の汚れ度合いの増分である。要するに、算出部Ｆ１１は、状態情報の履歴から、第１の増分Ｄ１１を求める。第１の増分Ｄ１１は、従来周知の方法により求めてよい。例えば、第１の増分Ｄ１１は、フィルタ２１１の単位時間（例えば一日）当たりの汚れ度合いを、送信開始時期から状態情報の履歴に含まれる最新の状態情報に対応する時期までの期間について積算することで得られる。送信開始時期は、本実施形態では、機器２０が管理装置３０に登録された日（登録日）である。状態情報の履歴に含まれる最新の状態情報に対応する時期は、図２では、「現在」として示されている。そして、フィルタ２１１の単位時間当たりの汚れ度合いは、測定部２２での測定結果（フィルタ２１１を通過する空気に含まれる集塵の量）とエアコンの運転状況（風量）から求めることができる。例えば、フィルタ２１１の単位時間当たりの汚れ度合いは、フィルタ２１１を通過する空気に含まれる集塵の量と風量との積に基づいて評価してよい。
【００３３】
補正部Ｆ１２は、算出部Ｆ１１で求められたフィルタの汚れ度合いの増分Ｄ１１の補正処理を行う。この補正処理では、補正部Ｆ１２は、図２に示す、第２の増分Ｄ１２に基づいて第１の増分Ｄ１１を補正してフィルタの最新の汚れ度合いＤ１０を求める。本実施形態では、最新の汚れ度合いＤ１０は、第１の増分Ｄ１１と第２の増分Ｄ１２との合計である。第２の増分Ｄ１２は、使用開始時期（本実施形態では、購入日）から送信開始時期（本実施形態では、登録日）までのフィルタ２１１の汚れ度合いの増分である。第２の増分Ｄ１２は、使用開始時期から機器２０が状態情報の送信を開始した送信開始時期までの未送信期間（つまり、購入日から登録日までの期間）に基づいて求められる。より詳細には、フィルタ２１１の汚れ度合いの増分Ｄ１２は、未送信期間と増加値との積により求められる。増加値は、フィルタ２１１の単位時間（例えば一日）当たりの汚れ度合いに対応する値である。増加値は、後述する機器２０の利用状況に応じて変更され得る。例えば、機器２０の利用状況の例としては、「部屋内での喫煙あり」と「部屋内での喫煙なし」とが挙げられる。この場合、増加値は、「部屋内での喫煙なし」よりも「部屋内での喫煙あり」のほうが大きく設定される。このように、補正部Ｆ１２では、未送信期間を含めてフィルタ２１１の汚れ度合いを評価しているから、フィルタ２１１の最新の汚れ度合いの精度を高めることができる。また、フィルタ２１１の最新の汚れ度合いを比較的簡単な演算（第１の増分Ｄ１１と第２の増分Ｄ１２との加算）で求めているから、処理負担の軽減を図ることができる。
【００３４】
判定部Ｆ１３は、補正部Ｆ１２で求められたフィルタ２１１の最新の汚れ度合いＤ１０（つまり、補正後の汚れ度合い）に基づいてフィルタ２１１の管理作業が必要か否かの判定を行う。管理作業は、フィルタ２１１の交換や洗浄を含む。本実施形態では、管理作業は、交換である。つまり、判定部Ｆ１３は、フィルタ２１１の最新の汚れ度合いＤ１０に基づいてフィルタ２１１の交換が必要かどうかの判定を行う。より詳細には、判定部Ｆ１３は、フィルタ２１１の最新の汚れ度合いＤ１０を閾値と比較する。閾値は、フィルタ２１１の交換が必要になる汚れ度合いに対応する値である。フィルタ２１１の最新の汚れ度合いＤ１０が閾値以上であれば、判定部Ｆ１３は、フィルタ２１１の交換が必要であると判断する。フィルタ２１１の最新の汚れ度合いＤ１０が閾値未満であれば、判定部Ｆ１３は、フィルタ２１１の交換がまだ必要ではないと判断する。
【００３５】
そして、判定部Ｆ１３は、フィルタ２１１の管理作業（交換）が必要であれば、交換通知を端末装置１０に送信する。交換通知は、フィルタ２１１の交換が必要であることを示す情報を含む。また、交換通知は、フィルタ２１１の汚れ度合いに関する通知情報を含む。通知情報は、フィルタ２１１の最新の汚れ度合いＤ１０、フィルタ２１１の交換の実行の目安となる汚れ度合い、及びフィルタ２１１の管理作業の実行の目安となる汚れ度合いに対するフィルタ２１１の最新の汚れ度合いの割合を含む。一方、判定部Ｆ１３は、フィルタ２１１の管理作業（交換）が必要でない場合、状態通知を端末装置１０に送信する。状態通知は、交換通知と同様に通知情報を含むが、交換通知とは異なりフィルタ２１１の交換が必要であることを示す情報を含まない。
【００３６】
処理部３３は、端末装置１０からの機器２０の汚れ度合いの初期化要求を管理装置３０が受け取った後は、機器２０の汚れ度合いの初期化を行う。初期化以後、機器２０の汚れ度合いの初期化がされた時期が、機器２０が状態情報の送信を開始した時期となる。また、機器２０の汚れ度合いの初期化がされた時期が機器２０の使用が開始された時期となる。つまり、端末装置１０からの初期化要求を管理装置３０が受け取った後は、機器２０が状態情報の送信を開始した時期と機器２０の使用が開始された時期とが一致する。したがって、算出部Ｆ１１で求められたフィルタ２１１の汚れ度合いの増分は、フィルタの最新の汚れ度合いに等しい。そのため、補正部Ｆ１２による補正は必要がなくなる。よって、判定部Ｆ１３は、算出部Ｆ１１で求められたフィルタ２１１の汚れ度合いの増分をフィルタの最新の汚れ度合いとして、フィルタ２１１の管理作業が必要か否かの判定を行う。
【００３７】
端末装置１０は、主に、機器２０をユーザが操作するためのユーザインタフェースとして機能する。特に、端末装置１０は、画像表示装置１１１を備えており（図１参照）、グラフィカルユーザインタフェース（GUI：Graphic User Interface）として機能する。
【００３８】
端末装置１０は、図１に示すように、入出力部１１と、通信部１２と、処理部１３と、を備える。入出力部１１、通信部１２、及び処理部１３は、同一の筐体に収容され得る。端末装置１０は、情報端末であり、例えば、スマートフォンである。なお、端末装置１０は、タブレット端末等の携帯端末、又はパーソナルコンピュータにより実現され得る。
【００３９】
入出力部１１は、端末装置１０を操作するための入力装置、音声入力装置、及びカメラを備える。入力装置は、例えば、タッチパッド及び／又は１以上のボタンを有する。また、入出力部１１は、情報を表示するための画像表示装置１１１、及び音声出力装置を備える。画像表示装置１１１は、液晶ディスプレイや有機ＥＬディスプレイなどの薄型のディスプレイ装置である。なお、入出力部１１のタッチパッドと画像表示装置１１１とでタッチパネルが構成されてもよい。
【００４０】
通信部１２は、通信部３１と同様に、通信ネットワーク４０に接続可能であり、通信ネットワーク４０を通じた通信を行う機能を有する。通信部１２は、通信部３１と同じ通信プロトコルに準拠している。
【００４１】
処理部１３は、端末装置１０の全体的な制御、すなわち、入出力部１１（画像表示装置１１１）及び通信部１２を制御するように構成される。処理部１３は、例えば、１以上のプロセッサ（マイクロプロセッサ）と１以上のメモリとにより実現され得る。つまり、１以上のプロセッサが１以上のメモリに記憶された１以上のプログラムを実行することで、処理部１３として機能する。
【００４２】
処理部１３は、上述した、入出力部１１の操作に応じて、登録要求、通知要求、及び初期化要求を管理装置３０に通信ネットワーク４０を通じて送信する機能を有している。
【００４３】
処理部１３は、図１に示すように、画像表示装置１１１を制御する表示部Ｆ１４を備える。表示部Ｆ１４は、機器２０に関する情報の入出力のための入出力画面を画像表示装置１１１に表示する。入出力画面は、例えば、登録画面Ｇ１０（図３参照）と、通知画面Ｇ２０（図４参照）と、を含む。なお、図３及び図４において、符号及び当該符号の付随物（指示線や矢印等）は、入出力画面の説明のために記載されており、入出力画面自体に含まれているわけではない。この点は、図５〜図７及び図９〜図１７においても同様である。
【００４４】
登録画面Ｇ１０は、機器２０を管理装置３０に登録するための画面である。登録画面Ｇ１０は、図３に示すように、入力領域Ｒ１１〜Ｒ１４と、ラベルＬ１１〜Ｌ１４と、ボタンＢ１１と、を含む。
【００４５】
入力領域Ｒ１１は、機器２０の使用開始時期を入力するための領域である。本実施形態では、使用開始時期は、機器２０の購入日である。ラベルＬ１１は、「購入日」というテキストを表示し、入力領域Ｒ１１に購入日を入力することを示している。入力領域Ｒ１２は、機器２０の設置場所を入力するための領域である。設置場所の例としては、リビング、寝室、子供部屋、書斎等の住居の部屋が挙げられる。ラベルＬ１２は、「設置場所」というテキストを表示し、入力領域Ｒ１２に機器２０の設置場所を入力することを示している。入力領域Ｒ１３は、機器２０の名称を入力するための領域である。この名称は、機器２０の製造者により与えられたものではなく、ユーザが機器２０の管理をするためのものであり、ユーザが自由に決定してよい。名称の例としては、リビングのエアコン、寝室のエアコン、子供部屋のエアコン、書斎のエアコン等が挙げられる。ラベルＬ１３は、「エアコン名称」というテキストを表示し、入力領域Ｒ１３に機器２０の名称を入力することを示している。入力領域Ｒ１４は、機器２０の利用状況を入力するための領域である。利用状況の例としては、上述した「部屋内での喫煙あり」と「部屋内での喫煙なし」とが挙げられる。ラベルＬ１４は、「利用状況」というテキストを表示し、入力領域Ｒ１４に機器２０の利用状況を入力することを示している。ボタンＢ１１は、入力領域Ｒ１１〜Ｒ１４に入力された情報に基づいて、機器２０を管理装置３０に登録するためのボタンである。ボタンＢ１１は、「登録」というテキストを表示する。ボタンＢ１１が選択されると、処理部１３は、機器２０の登録要求を管理装置３０に通信ネットワーク４０を通じて送信する。この登録要求は、入力領域Ｒ１１〜Ｒ１４に入力された情報を含む登録情報を含む。登録情報は、この他、機器２０の識別情報及びユーザの識別情報を含み得る。管理装置３０は、端末装置１０から送信された登録情報に基づいて機器２０と通信し、機器２０の登録処理を行う。これによって、管理装置３０の記憶部３２に、機器２０についての機器登録情報が作成される。そして、機器２０が、その状態情報の管理装置３０への送信を開始する。
【００４６】
通知画面Ｇ２０は、管理装置３０からの交換通知又は状態通知に応じて機器２０のフィルタ２１１に関する情報を通知するための画面である。通知画面Ｇ２０は、図４に示すように、通知領域Ｒ２１と、ラベルＬ２１〜Ｌ２３と、ボタンＢ２１，Ｂ２２と、を含む。
【００４７】
通知領域Ｒ２１は、汚れ度合い表示領域Ｒ２１１と、始期表示領域Ｒ２１２と、現在表示領域Ｒ２１３と、を含む。
【００４８】
汚れ度合い表示領域Ｒ２１１は、機器２０から送信される機器２０の状態を示す状態情報に基づいて求められたフィルタ２１１の最新の汚れ度合いを表示する。更に、汚れ度合い表示領域Ｒ２１１は、フィルタ２１１の管理作業の実行の目安となる汚れ度合いに対するフィルタ２１１の最新の汚れ度合いの割合を表示する。図４では、フィルタ２１１の管理作業の実行の目安となる汚れ度合いに対するフィルタ２１１の最新の汚れ度合いの割合が数値（百分率）とグラフ（棒グラフ）との両方により表されている。特に、図４では、この割合は、「７７％」という数値で表示されている。また、汚れ度合い表示領域Ｒ２１１は、フィルタ２１１の交換の実行の目安となる汚れ度合いを表示する。図４では、フィルタ２１１の交換の実行の目安となる汚れ度合いが「１００％」として表示されている。また、汚れ度合い表示領域Ｒ２１１は、フィルタ２１１の管理作業の実行の目安となる汚れ度合いまでの汚れ度合い（残りの汚れ度合い）を表示する。図４では、残りの汚れ度合いが、百分率（図４では「２３％」）で表示されている。これによって、ユーザにフィルタ２１１の汚れ度合いのフィードバックを適切に行うことができる。
【００４９】
始期表示領域Ｒ２１２は、使用開始時期に基づく情報を表示する。図４では、始期表示領域Ｒ２１２は、使用開始時期自体（つまり、「購入日」）を表示する。始期表示領域Ｒ２１２は、使用開始時期をユーザが把握しやすいように「購入日」というテキストを表示する。また、始期表示領域Ｒ２１２は、ユーザがフィルタ２１１の使用開始時期を把握しやすいように、フィルタ２１１の汚れ度合いの下限値（図４では０％）の近傍に配置される。
【００５０】
現在表示領域Ｒ２１３は、フィルタ２１１の最新の汚れ度合いに対応する時期を表示する。本実施形態では、図４に示すように、最新の汚れ度合いに対応する時期を日付で表示する。つまり、現在表示領域Ｒ２１３は、フィルタ２１１の最新の汚れ度合いに対応する日付を表示する。現在表示領域Ｒ２１３は、フィルタ２１１の最新の汚れ度合いに対応する日付をユーザが把握しやすいように「現在」というテキストを表示する。また、現在表示領域Ｒ２１３は、ユーザがフィルタ２１１の最新の汚れ度合いを把握しやすいように、フィルタ２１１の最新の汚れ度合いを示す数値（図４では７７％）の近傍に配置される。
【００５１】
ラベルＬ２１は、通知領域Ｒ２１での通知の対象となっている機器２０の名称を示すテキストを表示する。つまり、ラベルＬ２１は、機器２０の名称を表示する名称表示領域である。図４では、ラベルＬ２１には、「リビングのエアコン」というテキストが表示されている。ラベルＬ２２は、通知領域Ｒ２１で通知する内容に関するテキストを表示する。図４では、ラベルＬ２２には、「フィルターの汚れ度合い」というテキストが表示されている。ラベルＬ２３は、フィルタ２１１の管理作業の注意事項に関するテキストを表示する。図４では、ラベルＬ２３には、「※フィルターの交換を行った後は、必ず汚れ度合いをリセットしてください。」というテキストが表示されている。
【００５２】
ボタンＢ２１は、機器２０についての初期化要求を管理装置３０に送信するためのボタンである。ボタンＢ２１が選択されると、処理部１３は、通信部１２から通信ネットワーク４０を通じて管理装置３０へ初期化要求を送信する。つまり、ボタンＢ２１は、フィルタ２１１の汚れ度合いを初期化するためのボタンである。ボタンＢ２２は、フィルタ２１１の交換方法を表示する画面を呼び出すためのボタンである。ボタンＢ２２が選択されると、処理部１３は、画像表示装置１１１に、フィルタ２１１の交換方法を表示する画面を表示する。
【００５３】
図４は、管理装置３０からの状態通知に応じて画像表示装置１１１に表示される通知画面Ｇ２０を示す。一方で、図５及び図６は、管理装置３０からの交換通知に応じて画像表示装置１１１に表示される通知画面Ｇ２０の通知領域Ｒ２１を示す。図５及び図６の通知領域Ｒ２１は、管理表示領域Ｒ２１４を含んでいる。管理表示領域Ｒ２１４は、フィルタ２１１の最新の汚れ度合いがフィルタ２１１の管理作業の実行の目安となる汚れ度合いに達した場合に、フィルタ２１１の管理作業の実行を促す表示を行う領域である。図５の管理表示領域Ｒ２１４は、フィルタ２１１の最新の汚れ度合いがフィルタ２１１の管理作業の実行の目安となる汚れ度合い（閾値）と一致している場合に対応する。図５では、管理表示領域Ｒ２１４には、「フィルターの交換をおすすめします」というテキストが表示されている。また、管理表示領域Ｒ２１４は、使用開始時期からどの程度の期間が経過しているのかをテキストで表示している。図６の管理表示領域Ｒ２１４は、フィルタ２１１の最新の汚れ度合いがフィルタ２１１の管理作業の実行の目安となる汚れ度合い（閾値）を超えている場合に対応する。図６では、管理表示領域Ｒ２１４には、「交換目安を過ぎています。フィルターの交換をおすすめします」というテキストが表示されている。
【００５４】
図７は、機器２０の汚れ度合いの初期化後（フィルタ２１１の交換後）に状態通知に応じて画像表示装置１１１に表示される通知画面Ｇ２０の通知領域Ｒ２１を示す。通知領域Ｒ２１は、図５と同様に、汚れ度合い表示領域Ｒ２１１、始期表示領域Ｒ２１２、及び現在表示領域Ｒ２１３を含む。ただし、始期表示領域Ｒ２１２は、使用開始時期に基づく情報として、初期化された日（フィルタ２１１の交換日）を表示する。始期表示領域Ｒ２１２は、使用開始時期をユーザが把握しやすいように「前回交換日」というテキストを表示する。
【００５５】
以上述べた表示システムでは、端末装置１０の処理部１３が１以上のプロセッサと１以上のメモリとにより実現されている。つまり、表示部Ｆ１４は、１以上のプロセッサがプログラム（表示プログラム）を実行することにより実現される。表示プログラムは、１以上のプロセッサにより実行されると、１以上のプロセッサに、通知画面Ｇ２０を画像表示装置１１１に表示する指示を与える。通知画面Ｇ２０は、フィルタ２１１を備える機器２０の状態の通知のための画面である。通知画面Ｇ２０は、汚れ度合い表示領域Ｒ２１１と、始期表示領域Ｒ２１２と、を含む。汚れ度合い表示領域Ｒ２１１は、機器２０から送信される機器２０の状態を示す状態情報に基づいて求められたフィルタ２１１の最新の汚れ度合いを表示する。始期表示領域Ｒ２１２は、機器２０の使用を開始した時期を示す使用開始時期に基づく情報を表示する。換言すれば、この表示プログラムは、１以上のプロセッサにより実行されると、１以上のプロセッサに、本実施形態の表示方法を実行する指示を与えるプログラムである。この表示プログラムによれば、本実施形態の表示方法と同様に、フィルタ２１１の最新の汚れ度合いが、フィルタ２１１の最新の汚れ度合いを裏付ける使用開始時期に基づく情報とともに表示される。そのため、ユーザにフィルタ２１１の汚れ度合いのフィードバックを適切に行うことができる。これによって、機器２０のフィルタ２１１の管理作業を行うようにユーザを誘導できる。その結果、ユーザによる機器２０のフィルタ２１１の管理作業の適切な実施が可能になる。
【００５６】
１．３  動作
以下、表示システムの動作について図８のフローチャートを参照して簡単に説明する。
【００５７】
まず、管理装置３０の取得部Ｆ１０が、機器２０のフィルタ２１１の汚れ度合いの判定のためのデータを記憶部３２から所定のタイミングで取得する（Ｓ１０）。このデータは、上述したように、機器２０の状態情報の履歴、及び、使用開始時期を含む。所定のタイミングは、機器２０から新たな状態情報を受け取った際、端末装置１０から通知要求を受け取った際、定期的なタイミングのいずれかであってもよい。次に、管理装置３０の算出部Ｆ１１が、機器２０が状態情報の送信を開始した送信開始時期から状態情報の履歴に含まれる最新の状態情報に対応する時期までのフィルタ２１１の汚れ度合いの増分Ｄ１１（図２参照）を求める（Ｓ１１）。その後に、管理装置３０の補正部Ｆ１２は、第２の増分Ｄ１２に基づいて算出部Ｆ１１で求められた第１の増分Ｄ１１を補正してフィルタの最新の汚れ度合い（補正後の汚れ度合い）Ｄ１０（図２参照）を求める（Ｓ１２）。
【００５８】
次に、管理装置３０の判定部Ｆ１３が、補正部Ｆ１２で求められたフィルタ２１１の最新の汚れ度合い（補正後の汚れ度合い）Ｄ１０を閾値と比較する（Ｓ１３）。
【００５９】
フィルタ２１１の最新の汚れ度合いＤ１０が閾値以上であれば（Ｓ１３：Ｙｅｓ）、判定部Ｆ１３は、フィルタ２１１の交換が必要であることを示す情報を含む交換通知を端末装置１０に送信する（Ｓ１４）。これによって、端末装置１０の表示部Ｆ１４は、画像表示装置１１１に、通知画面Ｇ２０を表示する。このとき、通知画面Ｇ２０は、図５及び図６に示すような、通知領域Ｒ２１を含む。この通知領域Ｒ２１は、汚れ度合い表示領域Ｒ２１１と、始期表示領域Ｒ２１２と、管理表示領域Ｒ２１４とを含む。汚れ度合い表示領域Ｒ２１１は、機器２０から送信される機器２０の状態を示す状態情報に基づいて求められたフィルタ２１１の最新の汚れ度合いを表示し、始期表示領域Ｒ２１２は、機器２０の使用を開始した時期を示す使用開始時期に基づく情報を表示する。管理表示領域Ｒ２１４は、フィルタ２１１の管理作業の実行を促す表示を行う。
【００６０】
一方、フィルタ２１１の最新の汚れ度合いＤ１０が閾値未満であれば（Ｓ１３：Ｎｏ）、判定部Ｆ１３は、フィルタ２１１の交換が必要であることを示す情報を含まない状態通知を端末装置１０に送信する（Ｓ１５）。これによって、端末装置１０の表示部Ｆ１４は、画像表示装置１１１に、通知画面Ｇ２０を表示する。このとき、通知画面Ｇ２０は、図４及び図７に示すような、通知領域Ｒ２１を含む。この通知領域Ｒ２１は、汚れ度合い表示領域Ｒ２１１と、始期表示領域Ｒ２１２とを含むが、管理表示領域Ｒ２１４を含まない。
【００６１】
このように、本実施形態の表示システムは、取得部Ｆ１０と、算出部Ｆ１１と、補正部Ｆ１２と、表示部Ｆ１４と、を備える。取得部Ｆ１０は、フィルタ２１１を備える機器２０から送信される機器２０の状態を示す状態情報の履歴、及び、機器２０の使用を開始した時期を示す使用開始時期を取得する。算出部Ｆ１１は、機器２０が状態情報の送信を開始した送信開始時期から状態情報の履歴に含まれる最新の状態情報に対応する時期までのフィルタ２１１の汚れ度合いの第１の増分Ｄ１１を求める。補正部Ｆ１２は、使用開始時期から送信開始時期までのフィルタの汚れ度合いの第２の増分Ｄ１２に基づいて第１の増分Ｄ１１を補正してフィルタ２１１の最新の汚れ度合いＤ１０を求める。表示部Ｆ１４は、フィルタ２１１の最新の汚れ度合いを表示する汚れ度合い表示領域Ｒ２１１と使用開始時期に基づく情報を表示する始期表示領域Ｒ２１２とを含む通知画面Ｇ２０を、画像表示装置１１１に表示する。したがって、この表示システムによれば、本実施形態の表示方法と同様に、フィルタ２１１の最新の汚れ度合いが、フィルタ２１１の最新の汚れ度合いを裏付ける使用開始時期に基づく情報とともに表示される。そのため、ユーザにフィルタ２１１の汚れ度合いのフィードバックを適切に行うことができる。これによって、機器２０のフィルタ２１１の管理作業を行うようにユーザを誘導できる。その結果、ユーザによる機器２０のフィルタ２１１の管理作業の適切な実施が可能になる。
【００６２】
２．変形例
本開示の実施形態は、上記実施形態に限定されない。上記実施形態は、本開示の目的を達成できれば、設計等に応じて種々の変更が可能である。以下に、上記実施形態の変形例を列挙する。
【００６３】
２．１  第１変形例
図９は、第１変形例の表示システム（表示方法）で表示される通知画面Ｇ２０Ａを示す。通知画面Ｇ２０Ａは、通知領域Ｒ２１Ａと、ラベルＬ２１〜Ｌ２３と、ボタンＢ２１，Ｂ２２と、を含む。通知領域Ｒ２１Ａは、汚れ度合い表示領域Ｒ２１１Ａと、始期表示領域Ｒ２１２と、現在表示領域Ｒ２１３とに加えて、送信時期表示領域Ｒ２１５を含む。
【００６４】
汚れ度合い表示領域Ｒ２１１Ａは、フィルタ２１１の送信開始時期における汚れ度合いに関する情報を含む。具体的には、汚れ度合い表示領域Ｒ２１１Ａは、フィルタ２１１の管理作業の実行の目安となる汚れ度合いに対するフィルタ２１１の送信開始時期における汚れ度合いの割合を表示する。図９では、この割合が、数値（百分率）とグラフ（棒グラフ）との両方により表されている。特に、図９では、この割合は、「５２％」という数値で表示されている。送信時期表示領域Ｒ２１５は、機器２０が状態情報の送信を開始した送信開始時期に基づく情報を示す。図９では、送信時期表示領域Ｒ２１５は、送信開始時期自体（つまり、「登録日」）を表示する。送信時期表示領域Ｒ２１５は、送信開始時期をユーザが把握しやすいように「登録日」というテキストを表示する。また、送信時期表示領域Ｒ２１５は、ユーザがフィルタ２１１の送信開始時期を把握しやすいように、フィルタ２１１の送信開始時期における汚れ度合いに関する情報（図９の「５２％」というテキスト）の近傍に配置される。なお、ラベルＬ２１〜Ｌ２３と、ボタンＢ２１，Ｂ２２とは、通知画面Ｇ２０と同様である。
【００６５】
図９の通知画面Ｇ２０Ａは、管理装置３０からの状態通知に応じて画像表示装置１１１に表示される。一方で、図１０及び図１１は、管理装置３０からの交換通知に応じて画像表示装置１１１に表示される通知画面Ｇ２０Ａの通知領域Ｒ２１Ａを示す。図１０及び図１１の通知領域Ｒ２１Ａは、図５及び図６と同様に、管理表示領域Ｒ２１４を含んでいる。
【００６６】
第１変形例では、通知画面Ｇ２０Ａの通知領域Ｒ２１Ａが送信時期表示領域Ｒ２１５を含む。そのため、ユーザは、使用開始時期と送信開始時期との間の未送信期間を把握することができる。したがって、ユーザにフィルタ２１１の汚れ度合いのフィードバックを適切に行うことができる。これによって、機器２０のフィルタ２１１の管理作業を行うようにユーザを誘導できる。その結果、ユーザによる機器２０のフィルタ２１１の管理作業の適切な実施が可能になる。
【００６７】
なお、機器２０の汚れ度合いの初期化後（フィルタ２１１の交換後）に状態通知に応じて画像表示装置１１１に表示される通知画面Ｇ２０Ａについては、使用開始時期と送信開始時期が一致することになる。よって、通知画面Ｇ２０Ａは、図７に示す通知領域Ｒ２１が表示してよい。
【００６８】
２．２  第２変形例
図１２及び図１３は、第２変形例の表示システム（表示方法）で表示される通知画面Ｇ２０Ｂを示す。図１２の通知画面Ｇ２０Ｂは、管理装置３０からの交換通知に応じて画像表示装置１１１に表示される。図１３の通知画面Ｇ２０Ｂは、管理装置３０からの状態通知に応じて画像表示装置１１１に表示される。
【００６９】
図１２及び図１３の通知画面Ｇ２０Ｂは、通知領域Ｒ２１Ｂと、ラベルＬ２１〜Ｌ２３と、ボタンＢ２１，Ｂ２２と、を含む。なお、ラベルＬ２１〜Ｌ２３と、ボタンＢ２１，Ｂ２２とは、通知画面Ｇ２０と同様である。図１２の通知領域Ｒ２１Ｂは、汚れ度合い表示領域Ｒ２１１Ｂと、始期表示領域Ｒ２１２と、現在表示領域Ｒ２１３と、管理表示領域Ｒ２１４と、を含む。図１３の通知領域Ｒ２１Ｂは、汚れ度合い表示領域Ｒ２１１Ｂと、始期表示領域Ｒ２１２と、現在表示領域Ｒ２１３とを含み、管理表示領域Ｒ２１４を含まない。
【００７０】
汚れ度合い表示領域Ｒ２１１Ｂは、フィルタ２１１の最新の汚れ度合いだけではなく、フィルタ２１１の過去の汚れ度合いを表示する。つまり、汚れ度合い表示領域Ｒ２１１Ｂは、フィルタ２１１の汚れ度合いの履歴（推移）を表示する。図１２及び図１３では、汚れ度合い表示領域Ｒ２１１Ｂは、フィルタ２１１の汚れ度合いの履歴（推移）を、フィルタ２１１の管理作業の実行の目安となる汚れ度合いに対するフィルタ２１１の汚れ度合いの割合をグラフにより表示している。
【００７１】
また、通知画面Ｇ２０Ｂの通知領域Ｒ２１Ｂでは、図１４に示すように、汚れ度合い表示領域Ｒ２１１Ｂが、フィルタ２１１の送信開始時期における汚れ度合いに関する情報を含んでいてもよい。更に、通知領域Ｒ２１Ｂは、送信時期表示領域Ｒ２１５を含んでいてもよい。
【００７２】
第２変形例では、通知画面Ｇ２０Ｂの通知領域Ｒ２１Ｂがフィルタ２１１の過去の汚れ度合いを表示する。そのため、ユーザは、フィルタ２１１の汚れ度合いの推移を把握することができる。そのため、ユーザにフィルタ２１１の汚れ度合いのフィードバックを適切に行うことができる。これによって、機器２０のフィルタ２１１の管理作業を行うようにユーザを誘導できる。その結果、ユーザによる機器２０のフィルタ２１１の管理作業の適切な実施が可能になる。
【００７３】
２．３  第３変形例
図１５は、第３変形例の表示システム（表示方法）で表示される通知画面の通知領域Ｒ２１Ｃを示す。ここで、通知画面は、通知画面Ｇ２０と同様に、ラベルＬ２１〜Ｌ２３と、ボタンＢ２１，Ｂ２２と、を含んでいてもよい。
【００７４】
通知領域Ｒ２１Ｃは、機器２０のユーザが変更になった場合に対応する。例えば、機器２０が最初のユーザから現在のユーザに譲渡された場合には、機器２０の登録日が、最初のユーザが機器２０を登録した日（初回登録日）と、現在のユーザが機器２０を登録した日（自登録日）の２つ存在する。初回登録日は、最初に機器２０が状態情報の送信を開始した送信開始時期（第１送信開始時期）に対応する。自登録日は、ユーザの変更後に機器２０が状態情報の送信を開始した送信開始時期（第２送信開始時期）に対応する。
【００７５】
通知領域Ｒ２１Ｃは、図１５に示すように、汚れ度合い表示領域Ｒ２１１Ｃと、始期表示領域Ｒ２１２と、現在表示領域Ｒ２１３と、管理表示領域Ｒ２１４と、送信時期表示領域Ｒ２１５とを含む。なお、図１５の通知領域Ｒ２１Ｃは、交換通知に対応しているから管理表示領域Ｒ２１４を含んでいるが、状態通知に対応している場合には管理表示領域Ｒ２１４を含まない。
【００７６】
汚れ度合い表示領域Ｒ２１１Ｃは、汚れ度合い表示領域Ｒ２１１と同様であるが、フィルタ２１１の送信開始時期における汚れ度合いに関する情報を含む。フィルタ２１１の送信開始時期における汚れ度合いに関する情報は、フィルタ２１１の自登録日における汚れ度合いを含む。汚れ度合い表示領域Ｒ２１１Ｃは、フィルタ２１１の管理作業の実行の目安となる汚れ度合いに対するフィルタ２１１の自登録日における汚れ度合いの割合をグラフ及び数値により表示している。始期表示領域Ｒ２１２は、使用開始時期に基づく情報を示す。図１５では、始期表示領域Ｒ２１２は、使用開始時期自体を表示する。ここで、使用開始時期は、最初のユーザが機器２０の使用を開始した時期である。そのため、始期表示領域Ｒ２１２は、使用開始時期を現在のユーザが把握しやすいように「初回利用日」というテキストを表示する。また、始期表示領域Ｒ２１２は、ユーザがフィルタ２１１の使用開始時期を把握しやすいように、フィルタ２１１の使用開始時期における汚れ度合いに関する情報（図１５の「０％」というテキスト）の近傍に配置される。送信時期表示領域Ｒ２１５は、第２送信開始時期に基づく情報を示す。図１５では、送信時期表示領域Ｒ２１５は、第２送信開始時期自体（つまり、「自登録日」）を表示する。送信時期表示領域Ｒ２１５は、第２送信開始時期をユーザが把握しやすいように「自登録日」というテキストを表示する。また、送信時期表示領域Ｒ２１５は、ユーザがフィルタ２１１の第２送信開始時期を把握しやすいように、フィルタ２１１の第２送信開始時期における汚れ度合いに関する情報（図１５の「５２％」というテキスト）の近傍に配置される。
【００７７】
図１６は、第３変形例の表示システム（表示方法）で表示される通知画面の別の通知領域Ｒ２１Ｄを示す。ここで、通知画面は、通知画面Ｇ２０と同様に、ラベルＬ２１〜Ｌ２３と、ボタンＢ２１，Ｂ２２と、を含んでいてもよい。
【００７８】
通知領域Ｒ２１Ｄは、通知領域２１Ｃと同様に、機器２０のユーザが変更になった場合に対応する。通知領域Ｒ２１Ｄは、図１６に示すように、汚れ度合い表示領域Ｒ２１１Ｄと、始期表示領域Ｒ２１２と、現在表示領域Ｒ２１３と、管理表示領域Ｒ２１４と、送信時期表示領域Ｒ２１５と、初回送信時期表示領域Ｒ２１６とを含む。なお、図１６の通知領域Ｒ２１Ｄは、交換通知に対応しているから管理表示領域Ｒ２１４を含んでいるが、状態通知に対応している場合には管理表示領域Ｒ２１４を含まない。
【００７９】
汚れ度合い表示領域Ｒ２１１Ｄは、汚れ度合い表示領域Ｒ２１１と同様であるが、フィルタ２１１の送信開始時期における汚れ度合いに関する情報を含む。フィルタ２１１の送信開始時期における汚れ度合いに関する情報は、フィルタ２１１の第１及び第２送信開始時期（初回登録日、自登録日）における汚れ度合いを含む。汚れ度合い表示領域Ｒ２１１Ｄは、フィルタ２１１の管理作業の実行の目安となる汚れ度合いに対するフィルタ２１１の初回登録日及び自登録日における汚れ度合いの割合をグラフ及び数値により表示している。始期表示領域Ｒ２１２は、図１５と同様に、使用開始時期を現在のユーザが把握しやすいように「初回利用日」というテキストを表示する。また、始期表示領域Ｒ２１２は、ユーザがフィルタ２１１の使用開始時期を把握しやすいように、フィルタ２１１の使用開始時期における汚れ度合いに関する情報（図１５の「０％」というテキスト）の近傍に配置される。送信時期表示領域Ｒ２１５は、図１５と同様に、第２送信開始時期自体（つまり、「自登録日」）を表示する。送信時期表示領域Ｒ２１５は、第２送信開始時期をユーザが把握しやすいように「自登録日」というテキストを表示する。また、送信時期表示領域Ｒ２１５は、ユーザがフィルタ２１１の第２送信開始時期を把握しやすいように、フィルタ２１１の第２送信開始時期における汚れ度合いに関する情報（図１５の「５２％」というテキスト）の近傍に配置される。初回送信時期表示領域Ｒ２１６は、第１送信開始時期に基づく情報を示す。図１６では、初回送信時期表示領域Ｒ２１６は、第１送信開始時期自体（つまり、「初回登録日」）を表示する。初回送信時期表示領域Ｒ２１６は、第１送信開始時期をユーザが把握しやすいように「初回登録日」というテキストを表示する。また、初回送信時期表示領域Ｒ２１６は、ユーザがフィルタ２１１の第１送信開始時期を把握しやすいように、フィルタ２１１の第１送信開始時期における汚れ度合いに関する情報（図１６の「２６％」というテキスト）の近傍に配置される。
【００８０】
第３変形例では、通知領域Ｒ２１Ｃ，Ｒ２１Ｄが始期表示領域Ｒ２１２を含んでいるから、現在のユーザは、最初のユーザが機器２０の使用を開始した時期を把握できる。通知領域Ｒ２１Ｃ，Ｒ２１Ｄが送信時期表示領域Ｒ２１５を含んでいるから、現在のユーザは、ユーザの変更後に機器２０が状態情報の送信を開始した送信開始時期（第２送信開始時期）を把握できる。そのため、ユーザにフィルタ２１１の汚れ度合いのフィードバックを適切に行うことができる。これによって、機器２０のフィルタ２１１の管理作業を行うようにユーザを誘導できる。その結果、ユーザによる機器２０のフィルタ２１１の管理作業の適切な実施が可能になる。
【００８１】
特に、図１６の通知領域Ｒ２１Ｄは、初回送信時期表示領域Ｒ２１６を含んでいるから、現在のユーザは、最初に機器２０が状態情報の送信を開始した送信開始時期（第１送信開始時期）を把握できる。そのため、ユーザにフィルタ２１１の汚れ度合いのフィードバックを適切に行うことができる。これによって、機器２０のフィルタ２１１の管理作業を行うようにユーザを誘導できる。その結果、ユーザによる機器２０のフィルタ２１１の管理作業の適切な実施が可能になる。なお、機器２０のユーザが２回以上変更になった場合、少なくとも、最初のユーザと現在のユーザの送信開始時期を表示すればよい。もちろん、最初のユーザと現在のユーザとの間のユーザの送信開始時期も表示してよい。
【００８２】
２．４  第４変形例
図１７は、第４変形例の表示システム（表示方法）で表示される通知画面Ｇ２０Ｅを示す。通知画面Ｇ２０Ｅは、複数（図１７では２つ）の個別領域Ｒ２２１，Ｒ２２２を含む。更に、通知画面Ｇ２０Ｅは、通知画面Ｇ２０と同様に、ラベルＬ２２，Ｌ２３と、ボタンＢ２２と、を含んでいる。
【００８３】
個別領域Ｒ２２１，Ｒ２２２は、それぞれ異なる機器２０に対応している。図１７の例では、個別領域Ｒ２２１は、「リビングのエアコン」の名称がつけられた機器２０に対応し、個別領域Ｒ２２２は、「寝室のエアコン」の名称がつけられた機器２０に対応する。個別領域Ｒ２２１，Ｒ２２２はいずれも、通知領域Ｒ２１と、ラベルＬ２１と、ボタンＢ２１と、を含む。個別領域Ｒ２２１の通知領域Ｒ２１は、対応する機器２０（「リビングのエアコン」の名称がつけられた機器２０）に関する、汚れ度合い表示領域Ｒ２１１、始期表示領域Ｒ２１２、現在表示領域Ｒ２１３、及び送信時期表示領域Ｒ２１５を含む。ここで、個別領域Ｒ２２１の通知領域Ｒ２１は、管理装置３０からの交換通知に対応しており、管理表示領域Ｒ２１４を含んでいる。一方、個別領域Ｒ２２２の通知領域Ｒ２１は、対応する機器２０（「寝室のエアコン」の名称がつけられた機器２０）に関する、汚れ度合い表示領域Ｒ２１１、始期表示領域Ｒ２１２、現在表示領域Ｒ２１３、及び送信時期表示領域Ｒ２１５を含む。ここで、個別領域Ｒ２２２の通知領域Ｒ２１は、管理装置３０からの状態通知に対応しており、管理表示領域Ｒ２１４を含んでいない。
【００８４】
このように、第４変形例では、通知画面Ｇ２０Ｅは、複数の個別領域Ｒ２２１，Ｒ２２２を含む。複数の個別領域Ｒ２２１，Ｒ２２２の各々は、対応する機器２０に関する、名称表示領域（ラベルＬ２１）と、始期表示領域Ｒ２１２と、汚れ度合い表示領域Ｒ２１１と、を含む。そのため、ユーザは、通知画面Ｇ２０Ｅにおいて、複数の機器２０のフィルタ２１１の汚れ度合いを把握できる。よって、複数の機器２０の管理が容易になる。なお、第１〜第３変形例の通知領域Ｒ２１Ａ〜Ｒ２１Ｄは、第４変形例にも適用できる。
【００８５】
２．５  その他の変形例
上記実施形態では、補正部Ｆ１２は、補正処理において、フィルタ２１１の汚れ度合いの増分Ｄ１２を、未送信期間と増加値との積により求めている。上記実施形態では、増加値は固定値である。しかしながら、増加値は、状態情報の履歴から求められた値であってもよい。例えば、補正部Ｆ１２は、図１８に示すように、送信開始時期（登録日）から所定期間Ｔ１１の間のフィルタ２１１の汚れ度合いの変化に基づいて、増加値を決定してよい。一例として、補正部Ｆ１２は、所定期間Ｔ１１におけるフィルタ２１１の汚れ度合いの傾きの平均値を、増加値として利用してよい。この場合、補正部Ｆ１２は、未送信期間Ｔ１０と増加値との積により第２の増分Ｄ１２を求めてよい。
【００８６】
また、補正部Ｆ１２は、補正処理において、別の方法によって、フィルタ２１１の汚れ度合いの増分（第２の増分）Ｄ１２を求めてよい。例えば、補正部Ｆ１２は、状態情報の履歴に、未送信期間と同じ期間の汚れ度合いのデータが含まれていれば、未送信期間と同じ期間の汚れ度合いのデータを用いて、第２の増分Ｄ１２を求めてよい。未送信期間と同じ期間の汚れ度合いのデータは、例えば、未送信期間と月日単位で同じ期間の汚れ度合いのデータである。例えば、図１９では、未送信期間は、２０１６年４月１日から２０１６年６月３０日までの期間である。未送信期間と月日単位で同じ期間の汚れ度合いのデータは、２０１７年４月１日から２０１７年６月３０日までのデータＡ１０である。補正部Ｆ１２は、このデータＡ１０における汚れ度合いの増分を、第２の増分Ｄ１２として利用する。なお、図１９では、未送信期間と同じ期間の汚れ度合いのデータは、月日単位ではなく、日にち単位や、日時単位で同じ期間の汚れ度合いのデータであってもよい。なお、状態情報の履歴に未送信期間の全部と同じ期間の汚れ度合いのデータがない場合には、補正部Ｆ１２は、未送信期間の一部の期間と同じ期間の汚れ度合いのデータを利用して、一部の期間についての汚れ度合いの増分を求めてよい。この場合、未送信期間の残りの期間については、補正部Ｆ１２は、増加値を利用して増分を求めてよい。
【００８７】
なお、上記実施形態では、フィルタ２１１の交換日と汚れ度合いの初期化がされた日とが同じであるとしている。しかしながら、フィルタ２１１の交換日と汚れ度合いの初期化がされた日とが異なることもある。例えば、ユーザが汚れ度合いの初期化を忘れた場合等である。この場合、表示システムでは、端末装置１０で、フィルタ２１１の交換日の入力を行えるようにしてよい。これによって、フィルタ２１１の交換日を使用開始時期、汚れ度合いの初期化された日を送信開始時期として、補正部Ｆ１２でフィルタ２１１の汚れ度合いの補正処理が可能になる。その結果、フィルタ２１１の最新の汚れ度合いの精度を高めることができる。
【００８８】
なお、上記実施形態では、汚れ度合い表示領域Ｒ２１１，Ｒ２１１Ａ〜Ｒ２１１Ｄは、少なくとも、フィルタ２１１の最新の汚れ度合いを表示すればよい。つまり、汚れ度合い表示領域Ｒ２１１，Ｒ２１１Ａ〜Ｒ２１１Ｄは、必ずしも、フィルタ２１１の管理作業の実行の目安となる汚れ度合いを表示する必要はない。また、汚れ度合い表示領域Ｒ２１１，Ｒ２１１Ａ〜Ｒ２１１Ｄは、フィルタ２１１の管理作業の実行の目安となる汚れ度合いに対するフィルタ２１１の最新の汚れ度合いの割合を表示する必要はない。また、当該割合は、数値とグラフとの少なくとも一方により表されていればよい。数値は、百分率以外の相対的な表示であってよい。また、グラフは、棒グラフ以外にも円グラフ等の周知のグラフであってよい。つまり、当該割合の表示態様は特に限定されない。
【００８９】
なお、上記実施形態では、始期表示領域Ｒ２１２は、機器２０の使用を開始した時期を示す使用開始時期に基づく情報として、使用開始時期自体を表示する。しかしながら、始期表示領域Ｒ２１２は、使用開始時期自体を表示する必要はなく、使用開始時期をユーザが把握できるような情報を表示してよい。一例として、始期表示領域Ｒ２１２は、使用開始時期から現在までの経過時間（経過日数）を表示してよい。
【００９０】
また、使用開始時期は、機器２０の購入日、機器２０の設置日、機器２０の稼働開始日、フィルタ２１１の交換日、及びフィルタ２１１の洗浄日から選択され得る。つまり、使用開始時期は、機器２０の使用が開始されたとみなせる時期（日付）であればよい。
【００９１】
また、表示システムにおいて、取得部Ｆ１０、算出部Ｆ１１、補正部Ｆ１２、及び判定部Ｆ１３は、端末装置１０、機器２０、及び管理装置３０のいずれに設けられていてもよい。一例として、端末装置１０が、取得部Ｆ１０、算出部Ｆ１１、補正部Ｆ１２、及び判定部Ｆ１３を有していてもよい。
【００９２】
なお、上述の表示システム又は表示方法の実行主体は、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示におけるシステム又は方法の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。また、表示システムの処理部１３，３３の機能（取得部Ｆ１０、算出部Ｆ１１、補正部Ｆ１２、判定部Ｆ１３、表示部Ｆ１４）は、複数のシステム（装置）に分散して設けられてもよい。処理部１３，３３の少なくとも一部の機能は、例えば、クラウド（クラウドコンピューティング）によって実現されてもよい。
【００９３】
３．態様
上記実施形態及び変形例から明らかなように、本開示は、下記の態様を含む。以下では、実施形態との対応関係を明示するためだけに、符号を括弧付きで付している。
【００９４】
第１の態様の表示方法は、フィルタ（２１１）を備える機器（２０）の状態の通知のための通知画面（Ｇ２０，Ｇ２０Ａ〜Ｇ２０Ｅ）を、画像表示装置（１１１）に表示する。前記通知画面（Ｇ２０，Ｇ２０Ａ〜Ｇ２０Ｅ）は、汚れ度合い表示領域（Ｒ２１１，Ｒ２１１Ａ〜Ｒ２１１Ｄ）と、始期表示領域（Ｒ２１２）と、を含む。前記汚れ度合い表示領域（Ｒ２１１，Ｒ２１１Ａ〜Ｒ２１１Ｄ）は、前記機器（２０）から送信される前記機器（２０）の状態を示す状態情報に基づいて求められた前記フィルタ（２１１）の最新の汚れ度合いを表示する。前記始期表示領域（Ｒ２１２）は、前記機器（２０）の使用を開始した時期を示す使用開始時期に基づく情報を表示する。第１の態様によれば、ユーザによる機器（２０）のフィルタ（２１１）の管理作業の適切な実施が可能になる。
【００９５】
第２の態様の表示方法は、第１の態様との組み合わせにより実現され得る。第２の態様では、前記汚れ度合い表示領域（Ｒ２１１，Ｒ２１１Ａ〜Ｒ２１１Ｄ）は、前記フィルタ（２１１）の管理作業の実行の目安となる汚れ度合いを表示する。第２の態様によれば、ユーザにフィルタ（２１１）の汚れ度合いのフィードバックを適切に行うことができる。
【００９６】
第３の態様の表示方法は、第１又は第２の態様との組み合わせにより実現され得る。第３の態様では、前記汚れ度合い表示領域（Ｒ２１１，Ｒ２１１Ａ〜Ｒ２１１Ｄ）は、前記フィルタ（２１１）の管理作業の実行の目安となる汚れ度合いに対する前記フィルタ（２１１）の最新の汚れ度合いの割合を表示する。第３の態様によれば、ユーザにフィルタ（２１１）の汚れ度合いのフィードバックを適切に行うことができる。
【００９７】
第４の態様の表示方法は、第３の態様との組み合わせにより実現され得る。第４の態様では、前記割合は、数値とグラフとの少なくとも一方により表される。第４の態様によれば、ユーザにフィルタ（２１１）の汚れ度合いのフィードバックを適切に行うことができる。
【００９８】
第５の態様の表示方法は、第２〜第４の態様のいずれか一つとの組み合わせにより実現され得る。第５の態様では、前記通知画面（Ｇ２０，Ｇ２０Ａ〜Ｇ２０Ｅ）は、管理表示領域（Ｒ２１４）を含む。前記管理表示領域（Ｒ２１４）は、前記最新の汚れ度合いが前記フィルタ（２１１）の管理作業の実行の目安となる汚れ度合いに達した場合に前記フィルタ（２１１）の管理作業の実行を促す表示を行う。第５の態様によれば、ユーザに管理作業の必要性を通知できる。
【００９９】
第６の態様の表示方法は、第１〜第５の態様のいずれか一つとの組み合わせにより実現され得る。第６の態様では、前記使用開始時期は、前記機器（２０）の購入日、前記機器（２０）の設置日、前記機器（２０）の稼働開始日、前記フィルタ（２１１）の交換日、及び前記フィルタ（２１１）の洗浄日から選択される。第６の態様によれば、ユーザにフィルタ（２１１）の汚れ度合いのフィードバックを適切に行うことができる。
【０１００】
第７の態様の表示方法は、第１〜第６の態様のいずれか一つとの組み合わせにより実現され得る。第７の態様では、前記通知画面（Ｇ２０，Ｇ２０Ａ〜Ｇ２０Ｅ）は、前記機器（２０）の名称を表示する名称表示領域（Ｌ２１）を含む。第７の態様によれば、機器（２０）の管理が容易になる。
【０１０１】
第８の態様の表示方法は、第７の態様との組み合わせにより実現され得る。第８の態様では、前記通知画面（Ｇ２０Ｅ）は、複数の個別領域（Ｒ２２１，Ｒ２２２）を含む。前記複数の個別領域（Ｒ２２１，Ｒ２２２）の各々は、対応する機器（２０）に関する、名称表示領域（Ｌ２１）と、始期表示領域（Ｒ２１２）と、汚れ度合い表示領域（Ｒ２１１，Ｒ２１１Ａ〜Ｒ２１１Ｄ）と、を含む。第８の態様によれば、複数の機器（２０）の管理が容易になる。
【０１０２】
第９の態様の表示方法は、第１〜第８の態様のいずれか一つとの組み合わせにより実現され得る。第９の態様では、前記通知画面（Ｇ２０，Ｇ２０Ａ〜Ｇ２０Ｅ）は、前記汚れ度合いを初期化するためのボタン（Ｂ２１）を表示する。第９の態様によれば、フィルタ（２１１）の管理作業後に汚れ度合いを初期化する作業を行うようにユーザを誘導できる。
【０１０３】
第１０の態様の表示方法は、第１〜第９の態様のいずれか一つとの組み合わせにより実現され得る。第１０の態様では、前記最新の汚れ度合いは、前記状態情報の履歴と、前記使用開始時期から前記機器（２０）が前記状態情報の送信を開始した送信開始時期までの未送信期間とに基づいて求められる。第１０の態様によれば、未送信期間を含めてフィルタ（２１１）の汚れ度合いを評価しているから、フィルタ（２１１）の最新の汚れ度合いの精度を高めることができる。
【０１０４】
第１１の態様の表示方法は、第１０の態様との組み合わせにより実現され得る。第１１の態様では、前記最新の汚れ度合い（Ｄ１０）は、第１の増分（Ｄ１１）と第２の増分（Ｄ１２）との合計である。前記第１の増分（Ｄ１１）は、前記送信開始時期から前記状態情報の履歴に含まれる最新の状態情報に対応する時期までの前記フィルタ（２１１）の汚れ度合いの増分である。前記第２の増分（Ｄ１２）は、前記未送信期間に基づいて求められる前記未送信期間の前記フィルタ（２１１）の汚れ度合いの増分である。第１１の態様によれば、フィルタ（２１１）の最新の汚れ度合いを比較的簡単な演算で求めているから、処理負担の軽減を図ることができる。
【０１０５】
第１２の態様の表示プログラムは、１以上のプロセッサにより実行されると、前記１以上のプロセッサに、第１〜第１１の態様のいずれか一つの表示方法を実行する指示を与える。第１２の態様によれば、ユーザによる機器（２０）のフィルタ（２１１）の管理作業の適切な実施が可能になる。
【０１０６】
第１３の態様の表示システムは、取得部（Ｆ１０）と、算出部（Ｆ１１）と、補正部（Ｆ１２）と、表示部（Ｆ１４）と、を備える。前記取得部（Ｆ１０）は、フィルタ（２１１）を備える機器（２０）から送信される前記機器（２０）の状態を示す状態情報の履歴、及び、前記機器（２０）の使用を開始した時期を示す使用開始時期を取得する。前記算出部（Ｆ１１）は、前記機器（２０）が前記状態情報の送信を開始した送信開始時期から前記状態情報の履歴に含まれる最新の状態情報に対応する時期までの前記フィルタ（２１１）の汚れ度合いの第１の増分（Ｄ１１）を求める。前記補正部（Ｆ１２）は、前記使用開始時期から前記送信開始時期までの前記フィルタ（２１１）の汚れ度合いの第２の増分（Ｄ１２）に基づいて前記第１の増分（Ｄ１１）を補正して前記フィルタ（２１１）の最新の汚れ度合い（Ｄ１０）を求める。前記表示部（Ｆ１４）は、通知画面（Ｇ２０，Ｇ２０Ａ〜Ｇ２０Ｅ）を、画像表示装置に表示する。前記通知画面（Ｇ２０，Ｇ２０Ａ〜Ｇ２０Ｅ）は、前記フィルタ（２１１）の最新の汚れ度合いを表示する汚れ度合い表示領域（Ｒ２１１，Ｒ２１１Ａ〜Ｒ２１１Ｄ）と前記使用開始時期に基づく情報を表示する始期表示領域（Ｒ２１２）とを含む。第１３の態様によれば、ユーザによる機器（２０）のフィルタ（２１１）の管理作業の適切な実施が可能になる。
【符号の説明】
【０１０７】
１０  端末装置
１１１  画像表示装置
Ｇ２０，Ｇ２０Ａ〜Ｇ２０Ｅ  通知画面
Ｒ２１１，Ｒ２１１Ａ〜Ｒ２１１Ｄ  汚れ度合い表示領域
Ｒ２１２  始期表示領域
Ｒ２１４  管理表示領域
Ｌ２１  ラベル（名称表示領域）
Ｒ２２１，Ｒ２２２  個別領域
Ｂ２１  ボタン
２０  機器
２１１  フィルタ
Ｄ１０  フィルタの最新の汚れ度合い
Ｄ１１  第１の増分
Ｄ１２  第２の増分
Ｆ１０  取得部
Ｆ１１  算出部
Ｆ１２  補正部
Ｆ１４  表示部
【図１】
2019196865.tif 000003
【図２】
2019196865.tif 000004
【図３】
2019196865.tif 000005
【図４】
2019196865.tif 000006
【図５】
2019196865.tif 000007
【図６】
2019196865.tif 000008
【図７】
2019196865.tif 000009
【図８】
2019196865.tif 000010
【図９】
2019196865.tif 000011
【図１０】
2019196865.tif 000012
【図１１】
2019196865.tif 000013
【図１２】
2019196865.tif 000014
【図１３】
2019196865.tif 000015
【図１４】
2019196865.tif 000016
【図１５】
2019196865.tif 000017
【図１６】
2019196865.tif 000018
【図１７】
2019196865.tif 000019
【図１８】
2019196865.tif 000020
【図１９】
2019196865.tif 000021